(57)【要約】      （修正有）【課題】参加者の望ましくない個人的詳細の開示を防止しながら、望ましい参加者間で、様々な種類の予約を取り決めると共に決定するために、実時間の且つより対話的な情報交換を転送して、時間をより良く使用する。【解決手段】勧誘者から、少なくとも１人の被勧誘者に、予約のために、任意選択的な参加者情報及び／又は任意選択的な場所情報の他に、時間情報を備える勧誘メッセージを、メッセージモジュールを介して送信するステップと、予約に対する、受け取り通知、受諾、望ましい修正、又は拒絶を示す１つ以上の応答を、少なくとも１人の被勧誘者から、メッセージモジュールを介して受信するステップと、予約が決定されるまで、少なくとも１人の被勧誘者から受信される１つ以上の応答に、少なくとも部分的に基づいて、予約を決定するか、又は予約を取り決める／組み直すステップとを備える。【選択図】図１
2016149126.tif 000002
【特許請求の範囲】
【請求項１】
予約勧誘方法であって、
予約を保有するために、勧誘者から少なくとも１人の被勧誘者に、目標時間及び／又は１つ以上の予め設定された目標時間代替を示す時間情報を備える勧誘メッセージを、メッセージモジュールを介して送信するステップと、
前記予約に対する、受け取り通知、受諾、望ましい修正、又は拒絶を示す１つ以上の応答を、前記少なくとも１人の被勧誘者から、メッセージモジュールを介して受信するステップと、
前記予約が決定されるまで、前記少なくとも１人の被勧誘者から受信される１つ以上の応答に、少なくとも部分的に基づいて、前記予約を決定するか、又は前記予約を取り決める／組み直すステップと、
を備え、
前記勧誘メッセージは、前記勧誘メッセージに対して任意選択的である参加者情報及び／又は場所情報を更に備え、その結果として、前記予約の決定は、これら情報のいずれか１つ又は両方に無関係である、予約勧誘方法。
【請求項２】
請求項１に記載の勧誘方法であって、
前記メッセージモジュールの本来の予定表システムを更新するステップであって、該予定表システムの中に前記決定された予約を挿入することによって更新するステップ、
を更に備える、勧誘方法。
【請求項３】
請求項２に記載の勧誘方法であって、
前記本来の予定表システムの前記決定された予約のために、データを従来の予定表システムの中にエクスポートするステップ、
を更に備える、勧誘方法。
【請求項４】
請求項１に記載の勧誘方法であって、
前記勧誘者及び前記少なくとも１人の被勧誘者の位置情報を取得するステップと、
前記メッセージ及び前記応答を転送する間に、前記位置情報に基づいて、前記時間情報を調節するステップと、
を更に備える、勧誘方法。
【請求項５】
請求項１に記載の勧誘方法であって、
前記勧誘者及び前記少なくとも１人の被勧誘者の地理的情報及び／又は時間帯位置情報を取得するステップと、
前記メッセージ及び前記応答を転送する間に、前記地理的情報又は前記時間帯位置情報に基づいて、前記時間情報を調節するステップと、
を更に備える、勧誘方法。
【請求項６】
請求項５に記載の勧誘方法であって、
地理的情報及び／又は時間帯位置情報を取得するステップは、前記勧誘者及び前記少なくとも１人の被勧誘者によって手動的に提供される前記地理的情報及び／又は前記時間帯位置情報を受信すること、及び／又はＢｅｉＤｏｕ／Ｃｏｍｐａｓｓ、Ｇａｌｉｌｅｏ、ＧＬＯＮＡＳＳ、ＧＰＳ、又はこれらの組み合わせに基づいて、内部又は外部の位置決めモジュールによって、前記地理的情報及び／又は前記時間帯位置情報を自動的に取得することを備える、勧誘方法。
【請求項７】
請求項１に記載の勧誘方法であって、
前記予約を組み直すステップは、前記予約が、前記勧誘者及び前記被勧誘者の少なくとも１人並びに／又は前記被勧誘者の少なくとも２人によって受諾されるまで、前記望ましい修正に応答して、１つ以上の修正された勧誘メッセージを、前記少なくとも１人の被勧誘者に送信すると共に、前記少なくとも１人の被勧誘者から１つ以上の応答を受信することを備える、勧誘方法。
【請求項８】
請求項１に記載の勧誘方法であって、
前記被勧誘者間の直接通信の確立を防止するために、前記参加者情報は、前記勧誘者及び前記被勧誘者の少なくとも１人の各々の特定の個人的詳細を示すことなく、別名を備える、勧誘方法。
【請求項９】
請求項１に記載の勧誘方法であって、
前記被勧誘者間の外部直接通信の確立を防止するために、前記参加者情報は、前記被勧誘者の少なくとも２人の各々の特定の個人的詳細を示すことなく、別名を備える、勧誘方法。
【請求項１０】
請求項８に記載の勧誘方法であって、
前記特定の個人的詳細は、実名、住所、ＩＤ番号、電子メールアドレス、電話番号、又は被勧誘者間の外部直接通信の確立を可能にする特定のデータを備える、勧誘方法。
【請求項１１】
請求項９に記載の勧誘方法であって、
前記特定の個人的詳細は、実名、住所、ＩＤ番号、電子メールアドレス、電話番号、又は前記被勧誘者間の外部直接通信の確立を可能にする特定のデータを備える、勧誘方法。
【請求項１２】
請求項１の勧誘方法であって、
前記予約を決定するステップは、１つ以上の応答に少なくとも部分的に基づいて、前記勧誘者及び前記被勧誘者の少なくとも１人によって、及び／又は前記被勧誘者の少なくとも２人によって、前記予約が受諾されるかどうかを決定することを備える、方法。
【請求項１３】
請求項１に記載の勧誘方法であって、
前記勧誘メッセージを、前記予約のための基本情報及び、前記メッセージモジュールを取得するためのリンクを備える勧誘通知に変換すると共に、この勧誘通知を、前記勧誘者から、前記メッセージモジュールを取得していなかった、前記少なくとも１人の被勧誘者に、メッセージプロトコルを介して送信するステップ、
を更に備える、勧誘方法。
【請求項１４】
請求項１３に記載の勧誘方法であって、
前記メッセージプロトコルは、実時間通信を送達するための、ＳＭＳ、ＭＭＳ、又はプッシュ通知の少なくとも１つである、勧誘方法。
【請求項１５】
請求項１に記載の勧誘方法であって、
前記勧誘メッセージは、前記予約に対する１人以上の目標参加者を示す参加者情報を備え、これに基づいて、前記予約が少なくとも部分的に決定され、且つ前記勧誘者及び／又は前記少なくとも１人の被勧誘者が、前記目標参加者に含まれ得る、又は前記目標参加者から除外され得る、勧誘方法。
【請求項１６】
請求項１５に記載の方法であって、
前記１人以上の目標参加者は、お互いを知らない、且つ／又は、前記予約の前に、お互いの間で直接通信の確立を可能にする、いかなる特定の連絡先情報も取得しない、勧誘方法。
【請求項１７】
請求項１に記載の勧誘方法であって、
前記勧誘メッセージは、前記予約のための目標場所を示す場所情報を備え、これに基づいて、前記時間情報は、前記メッセージ及び前記応答を転送する間に、自動的に調節され、且つ表示される、勧誘方法。
【請求項１８】
請求項１７に記載の勧誘方法であって、
前記勧誘者及び／又は前記少なくとも１人の被勧誘者が、前記予約に対する目標場所とは異なる時間帯に定住する、且つ／又は位置するかどうかの決定に少なくとも部分的に基づいて、前記時間情報が調節される、勧誘方法。
【請求項１９】
予約勧誘システムであって、
勧誘者から、少なくとも１人の被勧誘者に、予約のために、任意選択的な参加者情報及び／又は任意選択的な場所情報の他に、時間情報を備える勧誘メッセージを、メッセージモジュールを介して送信する手段と、
前記予約に対する、受け取り通知、受諾、望ましい修正、又は拒絶を示す１つ以上の応答を、前記少なくとも１人の被勧誘者から、前記メッセージモジュールを介して受信するための手段と、
前記予約が決定されるまで、前記少なくとも１人の被勧誘者から受信される１つ以上の応答に、少なくとも部分的に基づいて、前記予約を決定するか、又は前記予約を取り決める／組み直すための手段と、
を備える、予約勧誘システム。
【請求項２０】
媒体上に埋め込まれたプログラムであって、このプログラムは、コンピューティング装置によって実行される場合、前記コンピューティング装置が予約の勧誘のための処理を実施することを引き起こし、このプログラムは、
勧誘者から、少なくとも１人の被勧誘者に、予約のために、任意選択的な参加者情報及び／又は任意選択的な場所情報の他に、時間情報を備える勧誘メッセージを、メッセージモジュールを介して送信するステップと、
前記予約に対する、受け取り通知、受諾、望ましい修正、又は拒絶を示す１つ以上の応答を、前記少なくとも１人の被勧誘者から、前記メッセージモジュールを介して受信するステップと、
前記予約が決定されるまで、前記少なくとも１人の被勧誘者から受信される１つ以上の応答に、少なくとも部分的に基づいて、前記予約を決定するか、又は前記予約を取り決める／組み直すステップと、
を備える、プログラム。
【発明の詳細な説明】
【技術分野】
【０００１】
本発明は情報交換方法及び情報交換システムに関し、且つ、特に、少なくとも２人の関連する参加者間で、メッセージモジュールを介して、予約を開始すると共に確立するための予約勧誘方法及び予約勧誘システムに関する。
【背景技術】
【０００２】
現代のライフスタイルのペースでは、時間を見つけることが、困難なタスクとなっている。それは、本質的に誰でも、自分達が欲しい何かを達成するには、時間を交換するからである。スキーに行くこと、リゾートで横たわること、及び配偶者や友人と共に時間を過ごすことから、ビジネス会議を開催することまで全てが、時間を費やして行われる。時間は有限であり、且つ誰に対しても等しいので、時間を効率的に使うことは重大である。加えて、人生で最も貴重なものは時間であるということは、多くの人にとって極めて明白である。
【０００３】
現在、ほとんどの予約は、少なくとも１人の勧誘者及び少なくとも１人の被勧誘者を備える複数の参加者間の、電話、電子メール及び／又はビデオの情報交換を通して行われる。そこでは、予約のための時間情報、場所情報及び、恐らくは、参加者情報を備える勧誘メッセージが、参加者の各々に対して利用可能になり、且つそのようなメッセージ又は予約の詳細が、関連する全ての当事者によって連続的に改訂され、且つ取り決められるが、これらのことは、予約が、その目標とされる／最終的な参加者によって決定され、且つ受諾されるまで続く。今日、マイクロソフト・アウトルック、グーグル・カレンダー、ｉＣａｌなどのような、異なる予定表アプリケーションが様々なプラットフォーム又は装置上で動いており、これらは、会議又は予約の管理のために使用されている。そして、そのようなアプリケーションの全ては、スマートフォン、タブレットコンピュータ／コンピューティング装置、ノートブック／ネットブックＰＣ、デスクトップＰＣなどのような実時間情報交換が可能である、異なる装置上で実行されているとは言え、本質的に非実時間に基づいており、比較的に時間を費やすものであり、且つそれほど対話型ではない電子メールシステム又はサービスである。このように、望ましいのは、実時間で比較的速く応答し、且つより対話的な予約勧誘方法及び予約勧誘システム、並びに／又は予定表システムを有することであり、これによって、時間をより良く使用することが可能になる。
【発明の概要】
【発明が解決しようとする課題】
【０００４】
本発明の目的は、先行技術における上記欠点を少なくとも部分的に克服することであり、この克服は、時間をより良く使用することを目的として、比較的容易で、速く予約を取り決め且つ決定するための勧誘方法、勧誘システム及びアプリケーションを提供することによる。
【課題を解決するための手段】
【０００５】
従って、上記目的のために提供される、本発明の技術的ソリューションの１つは予約勧誘方法であり、この方法は、
予約を保有するために、勧誘者から少なくとも１人の被勧誘者に、目標時間及び／又は１つ以上の予め設定された目標時間代替を示す時間情報を備える勧誘メッセージを、メッセージモジュールを介して送信するステップと、
予約に対する、受け取り通知、受諾、望ましい修正、又は拒絶を示す１つ以上の応答を、少なくとも１人の被勧誘者から、メッセージモジュールを介して受信するステップと、
予約が決定されるまで、少なくとも１人の被勧誘者から受信される１つ以上の応答に、少なくとも部分的に基づいて、予約を決定するか、又は予約を取り決める／組み直すステップと、を備え、
好ましくは、勧誘メッセージは、勧誘メッセージに対して任意選択的である参加者情報及び／又は場所情報を更に備えてもよく、その結果として、予約の決定は、これら情報のいずれか１つ又は両方に無関係である。
【０００６】
好ましくは、予約を組み直すステップは、望ましい修正に応答して、１つ以上の修正された勧誘メッセージを少なくとも１人の被勧誘者に送信し、且つ１つ以上の応答を少なくとも１人の被勧誘者から受信することを備え、このことは、予約が、勧誘者、及び被勧誘者の少なくとも１人によって、並びに／又は被勧誘者の少なくとも２人によって受諾されるまで続く。
【０００７】
本発明の一実施形態によれば、勧誘方法は、メッセージモジュールの本来の予定表システムを更新するステップを更に備えるが、これは、決定された予約を本来の予定表システムの中に挿入することによる。
【０００８】
本発明の別の実施形態によれば、勧誘方法は、本来の予定表システムの、決定された予約に対するデータを、ＭＳアウトルック・カレンダー、グーグル・カレンダー、ｉＣａｌなどのような従来の予定表システムの中にエクスポートするステップを更に備える。
【０００９】
本発明の更に別の実施形態によれば、勧誘方法は、
勧誘者及び少なくとも１人の被勧誘者の位置情報を取得するステップと、
メッセージ及び応答を転送する間に、位置情報に基づいて時間情報を調節するステップと、を更に備える。
【００１０】
本発明のまた更に別の実施形態によれば、勧誘方法は、
勧誘者及び少なくとも１人の被勧誘者の地理的情報及び／又は時間帯位置情報を取得するステップと、
メッセージ及び応答を転送する間に、地理的情報又は時間帯位置情報に基づいて、時間情報を調節するステップと、を更に備える。
【００１１】
また更に別の実施形態によれば、被勧誘者間の直接通信の確立を防止するために、参加者情報は、勧誘者及び被勧誘者の少なくとも１人の各々の特定の個人的詳細を示すことなく、別名を備えてもよいであろう。
【００１２】
代わりに、被勧誘者間の外部直接通信の確立を防止するために、参加者情報は、被勧誘者の少なくとも２人の各々の特定の個人的詳細を示すことなく、別名を備えてもよいであろう。
【００１３】
別の実施形態によれば、特定の個人的詳細は、実名、住所、ＩＤ番号、電子メールアドレス、電話番号、又は被勧誘者間での外部直接通信の確立を可能にする他の任意の特定データを備えてもよいであろう。
【００１４】
別の実施形態によれば、予約を決定するステップは、予約が、勧誘者、及び被勧誘者の少なくとも１人、並びに／又は被勧誘者の少なくとも２人によって受諾されるかどうかを、１つ以上の応答に少なくとも部分的に基づいて決定することを更に備える。
【００１５】
更に別の実施形態によれば、本発明の勧誘方法は、
勧誘メッセージを、予約のための基本情報及び、メッセージモジュールを取得するためのリンクを備える勧誘通知に変換するステップと、その勧誘通知を、メッセージプロトコルを介して、勧誘者から、メッセージモジュールを取得していなかった少なくとも１人の被勧誘者に送信するステップと、を更に備える。好ましくは、メッセージプロトコルは、実時間通信を送達するための、ＳＭＳ、ＭＭＳ、又はプッシュ通知の少なくとも１つである。
【００１６】
本発明の別の態様によれば、予約勧誘システムが提供され、このシステムは、
勧誘者から、データベースから選択された少なくとも１人の被勧誘者に、予約のために、任意選択的な参加者情報及び／又は任意選択的な場所情報の他に、時間情報を備える勧誘メッセージを、メッセージモジュールを介して送信する手段と、
予約に対する、受け取り通知、受諾、望ましい修正、又は拒絶を示す１つ以上の応答を、少なくとも１人の被勧誘者から、メッセージモジュールを介して受信するための手段と、
予約が決定されるまで、少なくとも１人の被勧誘者から受信される１つ以上の応答に、少なくとも部分的に基づいて、予約を決定するか、又は予約を取り決める／組み直すための手段と、
メッセージ及び応答を転送する間に、勧誘者及び少なくとも１人の被勧誘者の、地理的情報及び／又は時間帯位置情報に基づいて、時間情報を交換するための手段と、
予約を組み直す間に、メッセージモジュールを介して予約取り決めを可能にするための、しかし被勧誘者間での外部直接通信の確立を防止するための手段と、
を備える。
【００１７】
本発明の更なる態様によれば、媒体上に埋め込まれたプログラムが提供され、本プログラムは、コンピューティング装置によって実行される場合、コンピューティング装置が予約の勧誘のための処理を実施することを引き起こす。本プログラムは、
勧誘者から、データベースから選択された少なくとも１人の被勧誘者に、予約のために、任意選択的な参加者情報及び／又は任意選択的な場所情報の他に、時間情報を備える勧誘メッセージを、メッセージモジュールを介して送信するステップと、
予約に対する、受け取り通知、受諾、望ましい修正、又は拒絶を示す１つ以上の応答を、少なくとも１人の被勧誘者から、メッセージモジュールを介して受信するステップと、
予約が決定されるまで、少なくとも１人の被勧誘者から受信される１つ以上の応答に、少なくとも部分的に基づいて、予約を決定するか、又は予約を取り決める／組み直すステップと、を備え、
本プログラムは、メッセージ及び応答を転送する間に、勧誘者及び少なくとも１人の被勧誘者の地理的情報及び／又は時間帯位置情報に基づいて、時間情報を交換するステップと、予約を組み直す間に、メッセージモジュールを介して予約取り決めを可能にするが、しかし被勧誘者間での外部直接通信の確立を防止するステップと、を更に備える。
【００１８】
本発明の更なる目的、特徴、特性及び利点が、添付図面を参照しながら、以下に例としてより詳細に示されるであろう。
【図面の簡単な説明】
【００１９】
【図１】図１は、本発明の一実施形態による勧誘方法を示すブロック図である。
【発明を実施するための形態】
【００２０】
時間をより良く使用することを可能にするために、本発明は、関係する少なくとも２人の参加者間で予約を開始すると共に確立するための、様々な勧誘方法及びシステムを提供する。
【００２１】
図１に示すように、本発明の第１態様によれば、第１態様は予約勧誘方法に関し、この方法は、勧誘者から、データベースから選択された少なくとも１人の被勧誘者に、予約のために、任意選択的な参加者情報及び／又は任意選択的な場所情報の他に、時間情報を備える勧誘メッセージを、メッセージモジュールを介して送信するステップ（１００）と、予約に対する、受け取り通知、受諾、望ましい修正、又は拒絶を示す１つ以上の応答を、少なくとも１人の被勧誘者から、メッセージモジュールを介して受信するステップ（２００）と、予約が決定されるまで、少なくとも１人の被勧誘者から受信される１つ以上の応答に、少なくとも部分的に基づいて、予約を決定するか、又は予約を取り決める／組み直すステップ（３００）と、を備える。
【００２２】
本発明の１つの好ましい実施形態によれば、勧誘方法は、スマートフォン、タブレットコンピュータ／コンピューティング装置、ノートブック／ネットブックＰＣ、デスクトップＰＣなどのような、実時間情報交換が可能な装置上で動く携帯型アプリケーションによって、且つ該携帯型アプリケーションに基づいて、履行される。本実施形態は、グーグル・カレンダー、マイクロソフト・アウトルック・カレンダー、ｉＣａｌなどのような従来の予定表アプリケーションと類似の機能を提供し、且つ、同様に、高度に安全なプログラミングモジュール及びサーバを使用することを要求する。ユーザ登録で義務として入力が要求されるのは、少なくとも別名／愛称（表示目的のための）及び携帯電話番号であり、この他に、実名、住所、ＩＤ番号、電子メールアドレス（仕事／個人）、電話番号、地域コード／郵便コード及び国（表示目的のために）、又は他の人々との外部直接通信の確立を可能にする他の任意の特定データのような、他の任意選択的データがある。
【００２３】
通常の予定表アプリケーションとちょうど同じように、本実施形態は、ユーザだけが使用し、且つ見ることが可能な通知と共に、日々の仕事及び予約を記録できるであろう。本実施形態によれば、勧誘メッセージは、好ましくは、ユーザ／勧誘者から、メッセージモジュールを介して、データベース（例えば、携帯電話又はＳＩＭカードに格納された連絡先／電話帳）から選択された携帯電話番号によって、友人／被勧誘者に送信してもよいであろう。本発明の実施形態によれば、携帯電話番号によって勧誘を送信することは、最も好ましいアプローチであるが、その理由は、このアプローチは、他のアプローチの欠点を克服できるかもしれないからである。例えば、電子メールを使用することは、予約取り決めを扱うには比較的不便な方法であろう。その理由は、電子メールの主な用途は、たいていが仕事に関連しているからである。加えて、ユーザは、非日常的な利害関係者を有するかもしれず、又はそれが友人でさえあるかもしれない。ユーザは、彼らの電子メールを登録していないが、しかし自分のデータベースには、単に彼らの電話番号を記録する。この点で、携帯番号によって勧誘を送信することで、仕事スケジュール／生活スケジュールを統合することが可能であろう。この統合は、ユーザの使用行為を実に正確に指摘することによるものである。代わりに、本予約勧誘方法は、ウェブサイト又は、好ましくは実時間通信が可能なコンピューティング装置によって実行することも可能であろう。
【００２４】
好ましくは、メッセージモジュールは、メッセージの様々な要素を選択すると共に編集するためのユーザインターフェースを提供し、このユーザインターフェースは、被勧誘者（複数含む）（携帯電話の連絡先の１つ以上のエントリ）、１つ以上の提案時間、この他に、任意選択的な参加者（複数含む）、場所、及び／又は予約のための話題情報／仕事情報、並びに簡単なメッセージのための余分の小さなテキストボックス、を備えることが可能であり、前述の要素の各々に対する、最も頻繁に使用されたエントリ、又は最後に選択された／編集されたエントリが、好ましくは、オートコンプリート特徴などを有するドロップダウン・バー、リストボックス、編集ボックスのような様々な手段を介して、利用可能、閲覧可能、又は選択可能あり得るであろう。
【００２５】
本発明の実施形態によれば、ユーザは、携帯電話番号によって、勧誘メッセージを１人以上の被勧誘者に送信する。もし被勧誘者がアプリケーションを既に取得し、且つインストールしている場合、予約メッセージは、被勧誘者の各々に対して予め設定された次の任意選択肢と共に送信されるが、次の任意選択肢とは、予約に対する、受け取り通知、受諾、望ましい修正、又は拒絶を示すためのものである。好ましくは、任意選択肢の１つ以上は、被勧誘者の何人かには、単に利用可能であるかもしれない。この場合、利用可能となるのは、メッセージを送信する際に、異なる被勧誘者にある属性を割り当てることによる。これは、ちょうど、異なる受信者の電子メールアドレスを分類し、且つ電子メールアプリケーションの「ｔｏ」、「ｃ．ｃ．」及び「ｂ．ｃ．ｃ．」領域の中に入力するようなものであり、その結果として、予約は、１人以上の予め設定された参加者によってのみ組み直され、その一方で、他の参加者は、予約の変更及び最新状態を通知されるままであろう。
【００２６】
もし被勧誘者の１人以上が、１つ以上の望ましい修正を明らかにする場合、その修正は、時間に関するか、又は予約に対する任意選択的な参加者又は場所にさえも関連するかもしれず、その時は、勧誘者及び被勧誘者の１人以上を含む参加者の各々は、更なる修正された勧誘メッセージをお互いに対して送信し、且つ１つ以上の応答をお互いから受信するかもしれない。このことは、予約が勧誘者及び少なくとも１人の被勧誘者によって受諾されるまで続く、且つ／又は、勧誘者が実際には予約に参加する意図が無く、単に参加者間の仲介者として役立ちたい場合、予約が被勧誘者の少なくとも２人によって受諾されるまで続く。
【００２７】
望ましい修正のための任意選択肢を準備することによって、予約に対する別の時間の提案及び採択が可能になるが、これは、予定表上での衝突のために勧誘を断ることは、被勧誘者にとっては珍しいためである。そして、このことによって、勧誘者には、別の勧誘を「再送信」することが要求されるであろう。この別の勧誘は、組み直しのための、新しく再提案された時間に関するが、しかし再提案された時間は、被勧誘者には依然として受諾されないかもしれない。このように、被勧誘者は、組み直しプロセスを促進するために、最も適すると思われる時間を対抗案として提案することが望ましい。
【００２８】
本実施形態によれば、被勧誘者は、予約に対する望ましい修正を示す、１つから３つの空いた時間枠を入力し、且つ日取りを合わせることに関して、両当事者のための継続的プロセスを開始するために、勧誘者にメッセージを送り返すことを要求されるかもしれない。このように、この特徴は、予約の時間／日取りを選択し、且つ予約を確認するプロセスを改善するであろう。この改善は、複数の勧誘を送信、再送信することに費やされる時間の使用を低減することによる。そこでは被勧誘者の最良時間枠を知ることないが、先行技術においては、被勧誘者の最良時間枠を知る場合がしばしば生じる。
【００２９】
もし被勧誘者がアプリケーションを有さない場合、勧誘メッセージは、勧誘通知に変換されるであろう。この勧誘通知は、予約のための基本情報と、アプリケーションを取得すると共に、勧誘通知を、メッセージプロトコルを介して勧誘者から被勧誘者に送信するためのリンクと、を備える。この通知は、好ましくは、実時間通信を送達するためのＳＭＳ、ＭＭＳ、又はプッシュ通知、又はこれらの組み合せによって送信される。通知の文脈は、次のように読めてもよいであろう。「こんにちは、あなたの友人のｘｘｘ（勧誘者の別名）が、サークラー（Ｃｉｒｃｌｅｒ）（アプリケーションの名称）での予約をあなたに送信します！招待を受けるために、サークラーをダウンロードできます！」。そして、好ましくは、ダウンロードリンクがそこに続く。
【００３０】
ユーザ又は被勧誘者は、アプリケーションを予め設定して、ある友人の勧誘（例えば、アプリケーションの好みのリストから選択された友人）を自動的に受諾するか、又はある人々（例えば、アプリケーションのブラックリストから選択された人々）を自動的に拒絶することもできるであろう。
【００３１】
本発明の実施形態によれば、被勧誘者が予約を受諾する場合、勧誘者は、瞬時に通知を受信するであろう。そして、予約は、両当事者のアプリケーションの中に直ちに記録されるであろう。
【００３２】
もし被勧誘者が、予約のための時間に対して望ましい修正をするための任意選択肢を選択する場合、１つから３つ（又は５つまで、若しくはせいぜい１０まで）の別の空き時間枠を入力することが要求されるか、又は予め決められた代替時間枠が、被勧誘者によって選択され、且つ勧誘者に送り返されることが可能であろう。そして、両当事者が特定の時間枠及び日取りを合わせることに関して、プロセスが継続する。同様に、勧誘者は瞬時に通知を受信するであろう。そして、予約は、両当事者のアプリケーションの中に直ちに記録されるであろう。
【００３３】
本発明の別の好ましい実施形態によれば、予約は、アプリケーションの埋め込まれた予定表システム又は本来の予定表システムに格納されるが、格納は、これらの予定表の中に決定された予約を挿入することによる。好ましくは、本来の予定表システムの、決定された予約のためのデータは、１つ以上の従来の予定表システムの中に、更にエクスポートされ、且つ格納されるであろう。ここで従来の予定表は、ＭＳアウトルック・カレンダー、アップルｉＣａｌ、グーグル・カレンダー、又はこれらの組み合わせを備える。
【００３４】
本発明の実施形態によれば、勧誘者は拒絶通知を受信し、且つメッセージは、アプリケーションの記録から自動的に除去されるであろう。そして、被勧誘者が拒絶のための任意選択肢を選択する場合、好ましくは、そのような勧誘メッセージは、後の参照のために、拒絶されたログに記録することが可能であろう。
【００３５】
もし被勧誘者が、メッセージの受信を単に知らせたい場合、被勧誘者は、受け取り通知のための任意選択肢を選択することが可能である。この受け取り通知のための任意選択肢は、状態は未決定であり、且つ被勧誘者は、予約を後で、場合によっては受諾する、又は拒絶することを告げるためのものである。そして、その後、メッセージは、アプリケーションの中に自動的に記録され（例えば、そのような勧誘メッセージは、後の参照のために、未決定ログに記録することが可能であろう）、且つ、当事者のいずれか一方が、予約を受諾するか、又は拒絶するまで、若しくは予約の期限が切れるまで（例えば、予定された予約時間が過ぎた）、中間的な／更なる通知は、両当事者に送信されないであろう。
【００３６】
本発明の実施形態によれば、全ての完全な又は不完全な記録又はタスクは、修正し、且つ削除することが可能であろう。そして、勧誘は再送信され、且つ勧誘の詳細は、必要な場合には、修正することが可能であろう。
【００３７】
本発明の別の好ましい実施形態によれば、本方法は、予約に関連する参加者の注意を喚起するステップを更に備えるが、これは、予約の前の特定の時期に、予め注意喚起の通知又はポップアップ・バナーを送信することによる。注意喚起を適切な時に（例えば、予約時間の１時間／１日前に）、一度又は繰り返し送信できることを保証するために、特定の時間期間が、ユーザによって予め設定される。そして、好ましくは、注意喚起は、予約時間の３日前にまで先立って送信することが可能であろう。加えて、注意喚起の通知又はポップアップ・バナーによって、受信者は、予約を確認するか、又は組み直すことが可能になる。後者の場合、予約の全ての当事者は、予定組み直し通知を受信するであろう。そして新しい勧誘プロセスが、そこから始まるかもしれない。
【００３８】
本発明の更なる好ましい実施形態によれば、勧誘者から送信される勧誘メッセージは、先行技術と異なる。その異なる点は、この勧誘メッセージは、単に予約のための時間情報を備え、予約の参加者及び／又は場所に関するいかなる情報も、被勧誘者に知らせていないことである。勧誘メッセージは、一種の「私は時間が空いている」声明として役立ち、これによって、少なくとも１人の被勧誘者に、勧誘者は時間が空いており、且つ予約を受諾すると共に確立することに対して、時間を利用できる、ということを知らせる。現在のアプローチは有利であるが、それは次のような機会が存在するためである。その機会では、あなたは時間が空いており、その利用可能な時間をより良く利用したいと思う。しかし、それらの機会に対して人を見つけることは、どちらかといえば、非常に時間を費やすことになるかもしれない。人を探す代わりに、本実施形態は、集まり又は予約のために人を見つける手続きを逆にする。この逆の手続きは、勧誘メッセージを異なる、予め選択された当事者に送信して、予約のための、利用可能な日取り及び時間枠を当事者に知らせることによる。好ましくは、被勧誘者の少なくとも１人に関して、予約を確立する見込みを増加させるために、勧誘は、利用可能な時間枠のために、１つから３つの選択可能な任意選択肢を提供してもよいであろう。予約のための時間（必須の要素）を決定した後、勧誘者及び／又は被勧誘者は、別のメッセージ、又は他の手段を介した（例えば電話、電子メール、ＳＭＳなどによる）メッセージを送信し、それによって、予約のための、更なる場所及び／又は参加者のリストを取り決めてもよいであろう。本実施形態によれば、留意するべきことであるが、場所及び／又は参加者は、任意選択的と見なされ、しかし予約のための必須の要素ではない。その理由は、予約又は会議は、実時間情報交換が可能な様々な装置を介して、遠隔的に確立してもよいからである。加えて、予約のための最終的な参加者は、予約を手配すると共に決定した初期の勧誘者及び／又は被勧誘者を除外してもよく、これについては、後で入念に説明されるであろう。
【００３９】
本発明の更に別の好ましい実施形態によれば、勧誘メッセージは、予約に関連する到着通知として役立てるために使用してもよい。例えば、デートに行く場合、より良く修正をするために、会おうとしている人に、移動状態を知らせることは通常のことである。しかし幾つかの場所は、電話をかけるのに不都合かもしれない。この機能は、誰に通知するにも、すばやく且つ簡単な方法である。本実施形態によれば、予約時間の間近で、両当事者は、自分の行先に到着したかどうかを問い合わせるために、喚起注意をポップアップさせるであろう。自分の状態を知らせるために、簡単なポップアップ又はメッセージを送り出すことは可能であろう。そしてそのメッセージは、「到着済み」、「途中」（好ましくは、到着に何分かかるかを示す追加指示と共に）のような、送信者の現在状態を表示するための閲覧可能な任意選択肢と、メッセージのための簡単なテキストボックスと、ユーザは忙しく、後で移動状態を更新することを示すための別の閲覧可能な任意選択肢と、を備えてもよいであろう。留意するべきことであるが、前述のメッセージは、一種の勧誘メッセージであろう。この勧誘メッセージは、時間情報（到着に何分かかる）だけを備え、しかし参加者情報及び場所情報は備えていない。その理由は、後者の２つの情報は、予め決定されており、且つ予約の全ての参加者によって良く知られているからである。後で、相手方はポップアップ又はメッセージを受信し、且つそれに応じて行動するであろう。本実施形態によれば、アプリケーションは、ユーザがそのような特徴を無効とすることを可能にするように構成し、且つ予め設定することが可能であろう。そして、その後、ユーザは、いかなる注意喚起も受信しないであろう。またユーザは、予約時間に間近での、他の人からの問い合せに応答する必要がない。代わりに注意喚起又はメッセージは、通常的に受信することが可能であろう。そして、ユーザは忙しく、後で移動状態を更新することを示すために、自動的な返答又は応答が出されるであろう。このように、本実施形態は、ユーザが、関連する予約のために、より良く手配するのを助けることが可能であろう。
【００４０】
現在、予約又は会議は、異なる地域／国に定住する人々を含むかもしれず、且つ予約の参加者は、１つの時間帯から別の時間帯に移動するかもしれない。異なる時間帯をまたいで予約を手配することは、混乱を引き起こすかもしれない。その理由は、勧誘メッセージの受信側当事者は、送信側当事者の地域予約時間を受信するであろうが、これによって、参加者間で混乱を引き起こす。
【００４１】
また更に別の好ましい実施形態によれば、勧誘方法は、勧誘者及び少なくとも１人の被勧誘者の、地理的情報及び／又は時間帯位置情報のような位置情報を取得するステップと、勧誘のためのメッセージ及び応答を転送する間に、位置情報に基づいて、予約の時間情報を調節するステップと、を更に備え、これによって、先行技術の勧誘方法によって引き起こされる混乱を、低減すると共に回避する。例えば、勧誘者は、金曜日の午後９時に、香港から、ロンドンにいる被勧誘者に、勧誘を送信するかもしれない。本発明によって提供される関連モジュール又は手段による自動的な時間変換の後、被勧誘者は、ロンドン時間帯の金曜日午後１時として、調節された予約を受信するであろう。地理的情報及び／又は時間帯位置情報のような位置情報は、ユーザによって入力されるか、又は、携帯電話又は、本発明の勧誘アプリケーション又はシステムが動いている装置から取得される、且つ／又はＢｅｉＤｏｕ／ＣＯＭＰＡＳＳ、Ｇａｌｉｌｅｏ、ＧＬＯＮＡＳＳ、ＧＰＳなどに基づく、任意選択的な内部又は外部の位置決めモジュールから取得されるかもしれない。好ましくは、時間帯の違いは、予約のためのメッセージ又は応答を転送する間に、自動的に調節されるか、又は補償される。更に、時間情報は、時間が生の形式であるか、又は修正された形式であるかを示すために、色で符号化してもよいであろう。例えば、生の、且つ修正されていない時間は、黒で記してもよいであろう。これに対して、修正された時間は、参加者間の混乱を避けるために、赤又は他の色で記してもよいであろう。同様に、時間調節特徴のような、ここで明らかにされる、この特徴及び他の特徴は、予め決められた、又は予め構成された方法で、有効化するか、又は無効化することが可能であろう。
【００４２】
複数の当事者間で予約を確立することは、特に当事者が互いに知られていない場合、難しいかもしれない。加えて、異なる当事者間で予約の橋渡しを行い、且つ／又は予約を確立するための、仲介者を務めるユーザを可能にする技術的ソリューションを有することも、また望ましい。その場合、目標とされる参加者の各々の個人的詳細及び／又は機密事項を、最初に交換する、又は開示することはない。その理由は、このことが、間違いなく且つ大いに、秘書的業務を簡略化し、且つ予約の前には会ったことがない当事者に対して、勧誘を手配することの複雑さを低減することになるからである。例えば、仮に第１当事者及び第２当事者が共に、第３当事者を知っているだけであり、且つ第３当事者は、第１当事者及び第２当事者を助けて、最初は彼らの電話番号を互いに開示する、又は交換することなく、予約を手配したいと考えている。そして、第３当事者はまた、予約に参加せず、且つこの出来事に関する情報を知らせてほしいだけであるとする。その場合、先行技術とは異なる、独創的な勧誘の仕組みが、前述の目的を実現するために必要である。
【００４３】
この点では、本発明の好ましい実施形態の１つは、携帯電話の連絡先を採用することに基づく、独創的な第３当事者勧誘の仕組みを提供するが、この連絡先の中では、目標とされる参加者の各々の別名だけが使用される。独創的な第３当事者の仕組みは、予約を確立するために、これ以前に開示された同様な勧誘手続きを採用する。ここで同様な勧誘手続きとは、被勧誘者間の直接通信の確立を防止するために、勧誘メッセージの参加者情報が、参加者の各々の特定の個人的詳細を示すことなく、別名だけを備えること以外は同様である、という意味である。予約の確認後に、実名、住所、ＩＤ番号、電子メールアドレス、電話番号、又はこれらの組み合わせを備える特定の個人的詳細が、その後、それぞれの被勧誘者によって代表される、関連する被勧誘者及び／又は最終的な／実際の参加者に対して、選択的に開示されるであろう。
【００４４】
本発明の実施形態によれば、予約を決定するステップは、少なくとも部分的には１つ以上の応答に基づいて、予約が、勧誘者及び少なくとも１人の被勧誘者によって、並びに／又は被勧誘者の少なくとも２人によって受諾されるかどうかを決定することを備える。通常の場合、提案された予約が決定されるのは、その予約が、勧誘者及び少なくとも１人の被勧誘者、特定の数の被勧誘者又は、勧誘者によって望まれる、又は予め決められた１人以上の特定の被勧誘者によって、相互的に合意され、且つ受諾された後のことである。それは、予約を開始し、且つ提案した勧誘者の初期の意図に依存する。例えば、勧誘は、複数の被勧誘者に送信されるかもしれない。複数の被勧誘者の中で、わずかに１人又は２人が、勧誘者によって予め決められた、目標とされる人であるかもしれず、そのため、他の被勧誘者からの応答は、勧誘者には重要ではない。加えて、被勧誘者の全てから受諾を要求する必要はなく、且つ、いったん勧誘が、特定の数の被勧誘者によって、又は勧誘者によって望まれるか、又は予め決められた１人以上の特定の被勧誘者によって受諾されると、勧誘者は、予約を決定すると共に確認することが可能であろう。第３当事者勧誘の仕組みとして役立つ場合、いったん予約が、被勧誘者の少なくとも２人によって、相互的に合意され、且つ受諾されると、予約は決定されてもよいであろう。
【００４５】
本発明の第２態様によれば、予約勧誘システムが提供され、このシステムは、
勧誘者から、データベースから選択された少なくとも１人の被勧誘者に、予約のために、任意選択的な参加者情報及び／又は任意選択的な場所情報の他に、時間情報を備える勧誘メッセージを、メッセージモジュールを介して送信する手段と、
予約に対する、受け取り通知、受諾、望ましい修正、又は拒絶を示す１つ以上の応答を、少なくとも１人の被勧誘者から、メッセージモジュールを介して受信するための手段と、
予約が決定されるまで、少なくとも１人の被勧誘者から受信される１つ以上の応答に、少なくとも部分的に基づいて、予約を決定するか、又は予約を取り決める／組み直すための手段と、
メッセージ及び応答を転送する間に、勧誘者及び少なくとも１人の被勧誘者の、地理的情報及び／又は時間帯位置情報に基づいて、時間情報を交換するための手段と、
予約を組み直す間に、メッセージモジュールを介して予約取り決めを可能にするための、しかし被勧誘者間での外部直接通信の確立を防止するための手段と、
前述で明らかにされた予約勧誘方法の、前述の特徴／ステップの各々を履行するための手段と、
を備える。
【００４６】
本発明の第３態様によれば、前述で明らかにされた勧誘方法は、プログラム及びコンピューティング装置によって実行することが可能であり、本プログラムは、当技術でよく知られた、従来の記憶媒体又は記憶装置に格納してもよいであろう。本プログラムは、ネットワーク上で、アクセスされ、実行され、転送されてもよく、これに対して、実行の間に生成されるデータ及びメッセージは、後の参照又は更なる処理のために、コンピューティング装置の揮発性メモリ又は不揮発性メモリに、一時的又は永久に格納される。１つの好ましい実施形態によれば、この実施形態は、媒体上に埋め込まれたプログラムを提供し、本プログラムは、コンピューティング装置によって実行される場合、コンピューティング装置が予約の勧誘のための処理を実施することを引き起こす。本プログラムは、
勧誘者から、データベースから選択された少なくとも１人の被勧誘者に、予約のために、任意選択的な参加者情報及び／又は任意選択的な場所情報の他に、時間情報を備える勧誘メッセージを、メッセージモジュールを介して送信するステップと、
予約に対する、受け取り通知、受諾、望ましい修正、又は拒絶を示す１つ以上の応答を、少なくとも１人の被勧誘者から、メッセージモジュールを介して受信するステップと、
予約が決定されるまで、少なくとも１人の被勧誘者から受信される１つ以上の応答に、少なくとも部分的に基づいて、予約を決定するか、又は予約を取り決める／組み直すステップと、
を備え、
本プログラムは、メッセージ及び応答を転送する間に、勧誘者及び少なくとも１人の被勧誘者の地理的情報及び／又は時間帯位置情報に基づいて、時間情報を交換するステップと、予約を組み直す間に、メッセージモジュールを介して予約取り決めを可能にするが、しかし被勧誘者間での外部直接通信の確立を防止するステップと、を更に備える。
【００４７】
好ましくは、本プログラムは、上で明らかにされた予約勧誘方法の、前述の特徴／ステップの各々を履行するための、様々な構成要素、機能、及び手続きを備える。
【００４８】
本発明の好ましい実施形態が、添付図面を参照しながら、上述で説明されてきた。しかしながら、当業者にとっては明らかなことであろうが、本発明の理解に特に重要でない幾つかの特徴は、簡潔さのために、添付図面において説明されないか、又は示されないかもしれない。
【００４９】
加えて、更に理解されるべきことであるが、本アプリケーションで説明された勧誘方法、システム及びプログラムは、上で説明された特定の実施形態に限定されず、且つ、本アプリケーションの教示又は範囲から外れることなく、本アプリケーションに対する様々な改変及び変更が、当業者によってなされるかもしれない。例えば、様々な模範的で例証的な実施形態のステップ、要素及び／又は特徴は、本アプリケーションの範囲内で、互いに結合されるか、且つ／又は互いに対して代用されてもよく、これらは、本発明の範囲の中に落とし込まれるはずである。
【図１】
2016149126.tif 000003